(57)【要約】      （修正有）【課題】旅をする者、他、知識をして、学修生活者は常に、必要な物を不必要な物を常日頃から無意識中に多い使い分け、整理整純する理論整然とし、知識を司るカギの管理は重点的にできるチェーンホルダーを提供すること。【解決手段】  知恵の輪リング（Ｗリング）他留め金具を強靱なチェーン、キーホルダーの要所、要所（縄目）に付けて、具合の良い所に配置して置き、更には磁石を付けて、その場、その時に必要な物を分類して留め置く、鎖の要所、要所にきれいなアクセサリー、チエの輪リング等が付いているチェーンホルダ。【選択図】図２
2007014739.tif 000002
【特許請求の範囲】
【請求項１】
地震、火災、天災、他、急な被災時にあった時、アクセサリー、磁石付き、本発明される緊急時に必要となる。と思われる小間物品として、チェーン他、付帯品の取り付け、取り外しを自在とするサバイバル、チェーンホルダー（本図１）を創作発明する事への請求。
【請求項２】
チェーンキーホルダーの要所、要所、（縄目）にアクセサリー他、「Ｗリング」、「キー留め金具」を付け、キーホルダーにキーが多くあり、これをもてあますこれら多くあるキーの取り扱いを便利にし、チェーンキーホルダーの端にエンドリングを更に取り付け、ブレスレット、ベルトにも使用できるホルダーチェーンに発明をして、
【請求項３】
本発明される非常用チェーン、ホルダーの附属品として、蓋付き、ドンブリ、鍋、ケットルが持つ三機能を有し、これでラーメン等を作って食べる時、蓋が取れて倒れて来ない様に蓋に蝶番を付け、蓋の転倒防止ストッパー付ドンケット（図１図内）を発明する事への請求。
【請求項４】
本発明されるチェーン、ホルダーの附属品として、透明の使い捨てライターの中に擬似餌や釣り針りを添附されるライターが発明される請求。
【発明の詳細な説明】
【技術分野】
【０００１】  船舶運行業務にある者や釣り愛好者をして、船舶運行時（遭難時）には、必携していただきたいものの中に、遭難時に釣りをして食糧に出来る魚を補獲出来る魚の餌となる擬疑餌を透明度の高い使い捨てライターの中に入れて置くと、火の元と共に緊急時に役立ち、キャンプ、行楽地の川辺、海辺における人々のレジャーにおいても、釣りを分からない人々をも（説明書添付により）教育でき、人々に、興味が与えられ、釣りに関心を抱く者が増え（教育で国政を立て治そう：哲学）、釣りブーム振興に大きく貢献できる技術があった。（ギジライター。テオリーくん３３３号）【０００２】  被災地、緊急地（他キャンプ、行楽地）において、ラーメン、炊き出し、煮物を作る際、役く立つ様にどうしても小さな鍋にもなり、ケットルにもなり、ドンブリにもなる一つの物でありながら、三つの機能を有する、ドンケット鍋（テオリーくん３３４号）を発明した時、このドンケット鍋の蓋には、蝶番が付いて一体物となっている為、サバイバル、チェーン、ホルダーに附帯させておいても蓋が無くならずに済み、蓋がブラブラしないで済む、ストッパーや、これを鍋焼きドンブリにして使用する際、蓋が食事している顔の上に倒れて来ない様にできる転倒防止ストッパーが付いている為、大変便利であり、これら三機能の能力が充分発揮できる技術力があった。【０００３】  地震、火災、天災等による急な被災時にあって、普段はどうでもよい様な小間物（ローソク、発信灯、呼ぶ子…等）と、どうしても持ち出さなければいけない小間物、（家のカギ、通帳、ハンコ、ライター…等）を慌てふためいて探しており、逃避時間に費やし、その身を危険に晒している時、普段からこれらの必要と思われる小物類を整理、整頓し、一本の今回発明される磁石付（サバイバル、チェーン、ホルダー：テオリーくん３３０号）に附帯させ、冷蔵庫等、鉄製家具類に貼り付けて置くと、必要品と不要品（新旧、電池交換等）の取り替えが出来、有事の際、このサバイバルチェーンを首に付けて、家外に飛び出せる様にして置くと、慌てる事なく逃避時間の節約できる技術力があった。（チエの輪は強靱リング）【０００４】  カギ類を多く管理する者が、そのカギの多くを、従来に既存する、技術力にあるキーホルダーに付けて、その処置にもてあましている時、今回発明されるキーホルダーチェーンの要所、要所（縄目）にアクセサリー他、チエの輪リング他、留め金具を取り付けて、これに一本づつ多くのカギをじゅずつなぎに附帯させてゆくと、お坊様がじゅず玉を数える様にカギの取り扱いが便利となる技術力があり（スズナリキーホルダー：テオリーくん３３１号）これをブレスレット状に丸めるとき、首や、腰ベルトに出来、多くのカギや物品に対して落下防止や紛失防止に役立つ技術力もあった。（すずなりブレスレット：テオリーくん３３２号）
【背景技術】
【０００５】〔特願、２００５年      号、マドチェーン参照されたし〕〔特願２００５年２７８４５７号、家具付車両参照されたし〕〔特願、２００５年      号、楊子付マッチ参照されたし〕〔特願、２００５年      号、示現流参照されたし〕〔特願、２００４−３４１１９５号、消しゴムで消せるノート参照されたし〕
【発明の開示】
【発明が解決しようとする課題】
【０００６】「一見は百聞に然かず。」「言って聞かせ、やって見せて、やらせてみる。（特願２００４−３４１１９５号参照されたし）【０００７】  筆者はコドモの頃からど忘れ物忘れ、置き忘れがひどく、学校でも同教科に対して１００点を取り、次回は０点を取る事を繰り返えしていた。コドモのやる事なので、「フザケているのでは無いだろう！」と先生は言いながら、親は学校に呼び出され、親は帰って来るなり、「このバカヤロー！」とどなられ、筆者は叱られていた。
筆者は、「自分はバカでは無い。」と信じていたが、周囲はどうもだれしもが、筆者を見るとバカに見えたらしかった。「バカ」とは何んであろうか？と、図書館に行き、秘かに調べていると、父親の尾行には気が付かないでいた。……そして、それは、家に帰って来ても同じであった。――【０００９】  昔、中国に居た国の偉い指導者がそうであったらしく、日常生活において、馬と鹿の区別がつかなくなり、侍従者が、何度も、鹿の頭には、角があるから、鹿は馬では無い。とこの王様を悟し続けたものであったが、ガンコの元、遂に聞き入れなかった。ものである。と本に書いてあった。【００１０】  筆者は、自分当て嵌め、置き替えて考えていた。そして、筆者も、それについては、同感に思い、「馬と鹿は、元々、その先祖を辿れば、同じ種属のものである。」と呟いた途端にいつしか筆者の父親が、筆者の対面にまわり込んで来ており、「このバカ者が！」と言って頬に青筋を立てて怒っていた。【００１１】「現状をよく見よ！」「応用力をよく持て！」「動物園にいる馬と、鹿を見ろ！」「１０万年以上昔にいたお母さんから産まれて来たものでは無い……。」等々とどなられ続けていた。筆者はコドモの頃よりガンコであり、素直では無い。と自覚し、多くの本を読み過ぎて、頭の中がゴチャゴチャになっている接点を父親は見破っていた。今になって、父親が真剣に怒っている素形を思い出すとおかしくなった。【００１２】「今、現に見えている事が大切な事なんだよ！」「部屋の中をちゃんと片付けなさい。父親は息子の肩をポンポンと叩くと部屋を出て行った。
筆者の部屋の中は、常に、チラかっており、キタナかった。今、必要な物事と、今不必要な物事の整理、整頓ができる頭が出来てはいなかったのである。【００１３】  時間と空間は躍動しており、物品の全ては、人にとっても動物にとっても、この中にあって、必要時と不必要時を設定し、この時期  誤認を招く者は命取になる事もあった。【００１４】  今世紀最大級と言われたＡ、アインシュタイン博士の相対性理論と公式Ｅ２＝ｎを以って暫く説明したかった。数学の嫌いな方は、この段落は無視して下さい。【００１５】  科学、医学、哲学、云々……をして、いずれの学術の全ては同様のものであった。この世に無限（ｎ）にして存在する個々バラバラにある要素（Ｅ：エレメント）は、科学として系統だてる型体として、（ｚ）で表わし、一つに纒まった型体Ｚで表わされる要素を時間（ｘ）とし、流れを（＋）とし、それに逆う空間（Ｙ）の距離を（−）とし、引き合う力点（ｘ＋Ｙ：ｎ２）において、現状に存在する躍動力（命）を現時点の状況をＥ２＝ｎで表わす際、全て物理空間の停止上にあって、引き合いする躍動力のある中、更なる高次元（空いた空間）を目指して進行するものとなった時、この科学を理論整然とする者に、とまどいはなかった。即ち、科学を前提に発明される物品は、必ずしも整理整頓されているものであり、人の認識上の中にあっては、無駄が無いものとなった。
【課題を解決するための手段】
【００１６】  本発明されるスズナリ、チェーンは、この様に進化して来た人の脳神径、伝達方式に従った発明品である為、大変便利が良く、ど忘れ、置忘れ、物忘れも、しにくい物となり、とっさの時や、有事の際にも必ず、人体に携行され易いものになるものであった。【００１７】  筆者は学術研究の為、スキューバー道具一式を車に積み込んで、海に出かけ、裸になり、海に潜った時、一番不安になった事に、車のキーと、車内にある金庫のキー他、海上に停泊しているボートのエンジンキーを、ボートの上にあるズボンのポケットに入れて脱ぎ捨てて海中に潜っている時の事であった。これらのキーを知らぬ間にいたずらされ、持ち去られる事があれば筆者の死につながったからであった。
しかしながら、これを海中に持って行き、落したり、紛失したりした事を考えた時、ゾッとし、どうしてもボート上の脱ぎ捨てられたズボンのポケットに入れて、海中に行った方が、安全に思えて仕方無かった時、本発明が起こった。それは、キーホルダーチェーンをブレスレットにし、マグネットチェーンにする事だった。
【発明の効果】
【００１８】  それは一本のステンレス性の強靱な、チェーンの一端に留め付け金具を付け、他の一端にリング受け留め金具を付け、これをブレスレットにし、チェーンの前部に、やはり強靱なチエの輪リングを要所、要所に付けて置き、このチエの輪リングに膚身離ず、海底にまで持って行きたいと思われるキーを取り付けた時、全ての不安は解消される所となった。（本図３を参照されたし）しかしながら本発明品については、海水浴やプール遊びをする親子連れの人々が利用しても大変、重宝されるものにもなった。（スズナリ、ブレスレット）
【発明を実施するための最良の形態】
【００１９】  ところが、このスズナリ、チェーンをブレスレットに使用出来る他、要所、要所に取り付けられたチエの輪リングに小花を１つづつ（色違い）にしたり、小さな木の実の型の物や、宝石類にして、取り付け、更にはチェーンの要所要所にマグネットを付けて置くと、目を見張るばかりの可愛らしい、つる草花の様にも見え、各家庭の中心となる台所の冷蔵庫に這わせる様に取り付け、金庫や、鉄製の本棚、ベッドの足にからませた時、いつまで、そこにあっても楽しい物であり、【００２０】  地震、火災等における、有事の際には、カギ、ライター、爪切、ナイフ、小型ラジオ、ナイフ、ボールペン、呼子、ローソク、電灯、針と糸入れ容器をして、どうしても被難時には忘れがちな小間物道具の一式が、そこに鈴成りに取り付いている為、このチェーン一本、そのまま首に付けて外に逃げ出した時、一安心できる代物になるものとなった。（本図１を参照されたし）
【実施例】
【００２１】  又、ガードマン職にある人やペンション、マンション、ホテル等の（カギの）管理人さんは、このスズナリチェーンの要所、要所に取り付けられている小花の色合いや、木の実の色、宝石等の色違いを見る事でメチャクチャ多くあるこれらの部室を覚える事も容易であり、上から何本目のキーが何号室の部室である。と覚える事にも便利であった。【００２２】  そして、スズナリキーホルダーチェーンの先端部に、小花や、木の実、他、サンザシ、アクセサリーをしてキーを取り付けると実に可愛らしい物となり、女子高生にも人気がある他、現代市販されている百円ライターの中に釣り針の大小、色んな種類の擬以餌を入れて置くと、購買者の目を楽しませ、いざ海上で遭難した時、このライターを壊わして中から釣り針と擬以餌を取り出し魚を釣る事も出来た。
【産業上利用の可能性】
【００２３】  今回の発明品は、脳解賠生体学見地から思考し、一本のチェーン（揺ぎ無い拘束物：女性器：脳）を主幹として、その合間にチエの輪リング（女性器：ニューロン）を多く付け、別のキー（男性器）を複数取り付けられる様にし、これを、ブレスレット（性交）にしたり、途中から別のチェーンを小枝の様にして取り付けたり（社会）、これに小花（少女）や木の実（実利）付けたり、マグネット（不安：性交）を付け、冷蔵庫（女性器）の外面に取り付けられる様にして、研究をしている時、それは、脳機脳をよくし、安心させ、続ける人類が発明したコンピューター伝通経路（単純脳機能）その物である事を認識した時，，，，（  ）内は臨床心理学を示しています。
本発明品が冷蔵庫にへばり付いているのを見ると安心感さへ人の心に与え、
このチェーンを持つ人の脳の中に、これは現代人をして、難なく、すぐに解け込んで行き、このチェーンを見ない（手離す）時、不安さへ覚える程、人の深層心理に喰い込んで、行く事の出来る発明品である。と科学的に考えた時産業上利用性は高い物となった。
【図面の簡単な説明】
【００２４】
【図１】  サバイバル、チェーン、ホルダー図であるが、キーホルダーチェーンの要所、要所に、留め金具やチエの輪リング、小花、磁石を付け、冷蔵庫や鉄製品、家具類につたの様にからみ付かせて置き、船舶の遭難時、天災、火災、有事の際に役に立ち、必要と思われるキーは勿論の事、小物類をスズナリ、キーホルダーに取り付けた図であり、被災時にこのキーホルダーチェーン一本、首、若しくは腰に巻き付けて持ち出し外に逃げ出すと、避難地で大低置き忘れられる小間物類等が間に合う様に設計されているものであった。
【００２５】
【図２】  スズナリ、キーホルダーチェーンの図であるが、ホテル、マンション、ガードマン職にあって、カギを管理する人が、多くのカギを取り扱わなければならない時、色違いの小さな木の実や、番号を入れた木の実をそれぞれのキーホルダーチェーンの要所、要所にカギと伴にとり付け、持ち易く、首に付ける事も可能としたもの。お坊様のじゅずの様に下から何番目のカギが、何号室のカギであると覚える事も出来、便利であった。
【００２６】
【図３】  スズナリ、ブレスレットの図であるが、海水浴、スキューバダイビング、肉体労務労働をする者が上着を脱ぎ捨てて、仕事や作業をし、衣服のポケットが不自由な時、これをブレスレット（腰ベルト）にして、大切なキーやキャッシュカード（防水カード入れに入れ）等を取り付ける事の出来る工夫がしてある事を示す図。（腰ベルト、チェーンは人命救助の際、多いに役立つものでもあった。
【符号の説明】
１、キーホルダーチェーン。２、チェーン留め金具。３、エンドリング。４、Ｗ輪リング。５、アクセサリー、小花。６、アクセサリー木の実。７、外れ止めストッパー  ８、宝石類。９、磁石。１０、キー。１１、ハンコ入。１２、薬入れ。１３、非常用発光器。１４、乾電池容器。１５、懐中電灯。１６、針、糸入れ容器。１７、呼び子。１８、カード入れ容器。１９、ローソク入れ容器。２０、ボールペン。２１、ナイフ。２２、爪切。２３、使い捨てライター留め金具。２４、使い捨てライター（船舶抗行遭難時に特に役立つ物となる物であったが、本発明品は、日常にある使い捨てライターの中に魚が見て餌と間違え食い付く擬似餌の種類をこれに入れて市販された場合、「何んだろう！」と多くの人々の目を楽しませて後、ライター使用後もなかなかこれを捨てる気にはなれずコレクターも表われる中、釣人をして、釣レジャーを流行させようと努める業界、御企業様が、使い捨てライターの中にあらゆる生産コストの取れる擬似餌を入れ、その。２５、擬似餌で釣れる魚の種類を説明書きし、自分の店、電話番号を広告した場合、釣りの知識や、釣りに関しての興味が与えられ、釣りに対しての関心をいだく者が増え、コドモ達の間に流行し、（教育で国政を立てなおそう：哲学）釣りブームを起こす事が出来、国内の釣り一部門の景気改復の一躍を荷負うものとなった。コドモ達はゴミとなった何んでも無い物に興味を抱いたからであり、ライターの底部に、釣り針一本、テーピングして置くと、その効果は更に強まった。２６、釣り針。２７、シュノーケル。２８、ポケット。２９、セッケン箱。３０、ハミガキ入れ。３１、箸入れ容器。３２、スプーン。３３、ラーメン。３４、ドンケット鍋。３５、箸。３６、蝶番付蓋。３７、湯こぼし口。３８、コーヒーカップ。３９、チエの輪リング。（本発明品を流行させる。）
【図１】
2007014739.tif 000003
【図２】
2007014739.tif 000004
【図３】
2007014739.tif 000005